(57)【要約】信号の誤検出による誤った基地局切り替えの可能性を低減し、移動通信システムの信頼性を向上する移動局と基地局がＨＳＤＰＡ通信方式で通信を行う移動通信方法であって、移動局が一基地局から他基地局のエリア内に移動したとき（Ｓ２０３）、移動先の他基地局から移動局に対して、実際の情報の送信に先立って、基地局の切り替えを通知するためのダミー信号を送信し（Ｓ３０７）、移動局がダミー信号の受信に呼応して、ＨＳ−ＳＣＣＨ信号のｐａｒｔ２情報までをデコードし（Ｓ２１０）、ｐａｒｔ２情報に含まれるＣＲＣを検査し（Ｓ２１０）、ＣＲＣが正常であった場合に（Ｓ２１１のＹＥＳ）、基地局の切り替えを行う（Ｓ２１３、Ｓ２１７）。
2007077975.tif 000002
【特許請求の範囲】
【請求項１】
移動局と基地局がＨＳＤＰＡ通信方式で通信を行う移動通信方法であって、
前記移動局が一基地局から他基地局のエリア内に移動したとき、移動先の前記他基地局から前記移動局に対して、実際の情報の送信に先立って、基地局の切り替えを通知するためのダミー信号を送信し、
前記移動局が前記ダミー信号の受信に呼応して、ＨＳ−ＳＣＣＨ信号のｐａｒｔ２情報までをデコードし、
前記ｐａｒｔ２情報に含まれるＣＲＣを検査し、
前記ＣＲＣが正常であった場合に、前記基地局の切り替えを行う
ことを特徴とする移動通信方法。
【請求項２】
請求項１に記載の移動通信方法において、
前記ダミー信号は、前記ＨＳ−ＳＣＣＨ信号のｐａｒｔ１情報に含まれることを特徴とする移動通信方法。
【請求項３】
請求項１または２に記載の移動通信方法において、
前記移動局は、前記ダミー信号を受信するまでは、前記ＨＳ−ＳＣＣＨ信号の前記ｐａｒｔ２情報までのデコードは行わないことを特徴とする移動通信方法。
【請求項４】
請求項２または３に記載の移動通信方法において、
前記ダミー信号は、チャネライゼーションコードセットを表す７ビット列のうち、「１１１００００」、「１１１０００１」、「１１１００１０」、「１１１００１１」、「１１１０１００」、「１１１０１０１」、「１１１０１１０」、および「１１１０１１１」の８つのビット列のいずれかを前記ＨＳ−ＳＣＣＨ信号の前記ｐａｒｔ１情報に含むことにより切り替えを指示する信号として機能することを特徴とする移動通信方法。
【請求項５】
複数の基地局を制御する制御装置を備え、移動局がＨＳＤＰＡ通信方式で複数の基地局と通信を行う移動通信システムであって、
前記制御装置は、
前記移動局が一基地局から他基地局のエリア内への移動に応じて、前記移動局と接続される基地局の変更の要否を監視し、前記変更が必要な場合、前記他基地局に切り替えを指示する切替指示部を含み、
前記基地局は、
前記切り替え指示に従って、ダミー信号を生成する生成部と、
前記ダミー信号を前記移動局に対して送信する送信部と、を含み、
前記移動局は、
前記ＨＳ−ＳＣＣＨ信号を受信する受信部と、
前記受信したＨＳ−ＳＣＣＨ信号に前記ダミー信号が含まれるか否か判定する判定部と、
前記判定部が、前記ダミー信号が含まれると判定したとき、前記ＨＳ−ＳＣＣＨ信号のｐａｒｔ２情報までをデコードするデコード部と、
前記ｐａｒｔ２情報に含まれるＣＲＣを検査する検査部と、
前記ＣＲＣが正常であった場合に、前記基地局の切り替えを行う切替処理部と、を含むことを特徴とする移動通信システム。
【請求項６】
請求項５に記載の移動通信システムにおいて、
前記ダミー信号は、前記ＨＳ−ＳＣＣＨ信号のｐａｒｔ１情報に含まれることを特徴とする移動通信システム。
【請求項７】
請求項５または６に記載の移動通信システムにおいて、
前記移動局は、前記ダミー信号を受信するまでは、前記ＨＳ−ＳＣＣＨ信号の前記ｐａｒｔ２情報までのデコードは行わないことを特徴とする移動通信システム。
【請求項８】
請求項６または７に記載の移動通信システムにおいて、
前記ダミー信号は、チャネライゼーションコードセットを表す７ビット列のうち「１１１００００」、「１１１０００１」、「１１１００１０」、「１１１００１１」、「１１１０１００」、「１１１０１０１」、「１１１０１１０」、および「１１１０１１１」の８つのビット列のいずれかを前記ＨＳ−ＳＣＣＨ信号の前記ｐａｒｔ１情報に含むことにより切り替えを指示する信号として機能することを特徴とする移動通信システム。
【請求項９】
複数の基地局とＨＳＤＰＡ通信方式で通信を行う移動端末であって、
一基地局から他基地局のエリア内に移動したとき、移動先の前記基地局からＨＳ−ＳＣＣＨ信号を受信する受信部と、
前記受信部が受信した前記ＨＳ−ＳＣＣＨ信号にダミー信号が含まれるか否かを判定する判定部と、
前記判定部が、前記ダミー信号が含まれると判定したとき、前記ＨＳ−ＳＣＣＨ信号のｐａｒｔ２情報までをデコードするデコード部と、
前記ｐａｒｔ２情報に含まれるＣＲＣを検査する検査部と、
前記ＣＲＣが正常であった場合に、前記基地局の切り替えを行う切替処理部と、を備えることを特徴とする移動端末。
【請求項１０】
請求項９に記載の移動端末において、
前記ダミー信号は、前記ＨＳ−ＳＣＣＨ信号のｐａｒｔ１情報に含まれることを特徴とする移動端末。
【請求項１１】
請求項９または１０に記載の移動端末において、
前記ダミー信号を受信するまでは、前記ＨＳ−ＳＣＣＨ信号の前記ｐａｒｔ２情報までのデコードは行わないことを特徴とする移動端末。
【請求項１２】
請求項１０または１１に記載の移動端末において、
前記判定部は、前記ＨＳ−ＳＣＣＨ信号の前記ｐａｒｔ１情報が、チャネライゼーションコードセットを表す７ビット列のうち、「１１１００００」、「１１１０００１」、「１１１００１０」、「１１１００１１」、「１１１０１００」、「１１１０１０１」、「１１１０１１０」、および「１１１０１１１」の８つのビット列のいずれかを含む場合にダミー信号が含まれると判定することを特徴とする移動端末。
【請求項１３】
複数の基地局とＨＳＤＰＡ通信方式で通信を行う移動端末上の通信プログラムであって、
前記移動端末を実現するコンピュータに、
一基地局から他基地局のエリア内に移動したとき、移動先の前記基地局からＨＳ−ＳＣＣＨ信号を受信しる処理と、
前記受信部が受信した前記ＨＳ−ＳＣＣＨ信号にダミー信号が含まれるか否かを判定する処理と、
前記ダミー信号が含まれると判定したとき、前記ＨＳ−ＳＣＣＨ信号のｐａｒｔ２情報までをデコードする処理と、
前記ｐａｒｔ２情報に含まれるＣＲＣを検査する処理と、
前記ＣＲＣが正常であった場合に、前記基地局の切り替えを行う処理とを実行させることを特徴とする通信プログラム。
【発明の詳細な説明】
【技術分野】
【０００１】
本発明は、移動通信方法、移動通信システム、および移動端末に関し、特に、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式を用いた移動通信方法、移動通信システム、および移動端末に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）で標準化作業が進行しているＨＳＤＰＡ通信方式においては、ＳＨＯ（Ｓｏｆｔ  ＨａｎｄＯｖｅｒ）を行うことができず、端末の移動などによりデータを送信する基地局が変更される場合には一旦移動元の基地局とのＨＳＤＰＡ通信を切断し、移動先の基地局と再接続しなければならない。
そのため基地局を切り替える際には通信の中断時間が発生し、ＨＳＤＰＡ上でＶｏＩＰ（Ｖｏｉｃｅ  ｏｖｅｒ  ＩＰ）などのリアルタイムサービスを実現する際のネックとなっている。そこでＨＳＤＰＡのハンドオーバ動作を改善するための方式であるＨＳＤＰＡ  ｍｏｂｉｌｉｔｙ  ｅｎｈａｎｃｅｍｅｎｔが議論されている。その中で通信先の基地局切り替えのための一方式として一定期間ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を移動元と移動先の両方の基地局から受信し、移動先の基地局からＨＳ−ＳＣＣＨを受信したらＨＳＤＰＡのｓｅｒｖｉｎｇ  ｃｅｌｌが切り替わったと判断し、それ以降は移動先の基地局とＨＳＤＰＡ通信を行うという方式が検討されている。
ＨＳＤＰＡにおける従来のハンドオーバ方法としては、たとえば文献１に記載されたものがある。文献１に記載されたハンドオーバ方法は、第１のセルで基地局と通信中の移動局が第１のセルより受信状態の良好な同一基地局の第２のセルを検出した場合に、第２のセル情報を含むＦＣＳ請求を送信するＦＣＳ請求ステップと、ＦＣＳ請求を受け取った基地局が、ＦＣＳ許可情報を含むＦＣＳ確認をＦＣＳ−ＳＣＣＨを用いて送信するＦＣＳ確認ステップと、第１のセルと第２のセルとの間でＨＡＲＱ操作の受け継ぎ処理を行い、第２のセルにおいて未送信データを送信するデータ送信ステップと、ＦＣＳ確認を受け取った移動局が第２のセルに切り替えてデータを受信するデータ受信ステップと、を含む。
この構成により、ＨＳＤＰＡに関するＦＣＳ操作の制御手順および信号伝達手段を規定することによってハンドオーバの効率化および高速化を実現可能とするものである。
文献１  特開２００４−７２５１３号公報
ところで、ハンドオーバ処理時の通信時の一時的な切断を回避する方法として、ＨＳＤＰＡ通信のハンドオーバを行う際に、一定期間ハンドオーバ元とハンドオーバ先の両方の基地局からＨＳ−ＳＣＣＨを受信し、ハンドオーバ先の基地局からのＨＳ−ＳＣＣＨに自分宛のデータが含まれていた場合、基地局の切り替えが行われたと判断して以降はハンドオーバ先の基地局からのみＨＳ−ＳＣＣＨを受信するという方法が考えられる。
しかし、ＨＳ−ＳＣＣＨのｐａｒｔ２情報がすべて送信される前にＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）が送信されるために、基地局切り替えの判断基準としてハンドオーバ先の基地局からのＨＳ−ＳＣＣＨに自分宛のデータが含まれているかどうかを確認する際、ＨＳ−ＳＣＣＨのｐａｒｔ１情報のみで判定しなければならない。ところが、ｐａｒｔ１情報にはＣＲＣ（Ｃｙｃｌｉｃ  Ｒｅｄｕｎｄａｎｃｙ  Ｃｈｅｃｋ  ｃｏｄｅ：周期冗長検査コード）が付加されていないため誤検出を確認することができずに誤って基地局切り替えを実行してしまう可能性がある。
本発明は上記事情に鑑みてなされたものであり、その目的とするところは、信号の誤検出による誤った基地局切り替えの可能性を低減し、移動通信システムの信頼性を向上する移動通信方法を提供することにある。また本発明の別な目的は、信号の誤検出による誤った基地局切り替えの可能性を低減し、移動通信システムの信頼性を向上する移動通信システムおよびその移動端末を提供することにある。
【発明の開示】
【０００３】
本発明によれば、移動局と基地局がＨＳＤＰＡ通信方式で通信を行う移動通信方法であって、
前記移動局が一基地局から他基地局のエリア内に移動したとき、移動先の前記他基地局から前記移動局に対して、実際の情報の送信に先立って、基地局の切り替えを通知するためのダミー信号を送信し、
前記移動局が前記ダミー信号の受信に呼応して、ＨＳ−ＳＣＣＨ信号のｐａｒｔ２情報までをデコードし、
前記ｐａｒｔ２情報に含まれるＣＲＣを検査し、
前記ＣＲＣが正常であった場合に、前記基地局の切り替えを行うことを特徴とする移動通信方法が提供される。
この発明によれば、一基地局から他基地局へ移動局が移動した場合、基地局から送信された切り替えを示すダミー信号の受信に呼応して、切り替え前にＨＳ−ＳＣＣＨ信号のｐａｒｔ２情報に基づきＣＲＣチェックを行い、正常であることを確認した後に基地局の切り替えを行うので、信号の誤検出による誤った基地局切り替えの可能性を低減することができる。
上記移動通信方法において、前記ダミー信号は、前記ＨＳ−ＳＣＣＨ信号のｐａｒｔ１情報に含まれることができる。この構成によれば、ｐａｒｔ１情報の受信および解読のみでダミー信号の受信の検出、すなわち、基地局切り替えのトリガ検出を行うことが可能となるので、基地局切り替え監視処理を簡素化し、処理時間を短出することができる。
上記移動通信方法において、前記移動局は、前記ダミー信号を受信するまでは、前記ＨＳ−ＳＣＣＨ信号の前記ｐａｒｔ２情報までのデコードは行わないことができる。この構成によれば、自局宛のダミー信号を受信するまでは、ＨＳ−ＳＣＣＨ信号のｐａｒｔ２情報までのデコードは行わないので、時間のかかる不要な処理を省略できるので処理効率が向上し、高速処理が可能となる。
上記移動通信方法において、前記ダミー信号は、チャネライゼーションコードセットを表す７ビット列のうち、「１１１００００」、「１１１０００１」、「１１１００１０」、「１１１００１１」、「１１１０１００」、「１１１０１０１」、「１１１０１１０」、および「１１１０１１１」の８つのビット列のいずれかを前記ＨＳ−ＳＣＣＨ信号の前記ｐａｒｔ１情報に含むことにより切り替えを指示する信号として機能することができる。この構成によれば、ｐａｒｔ１情報の未使用ビット列を使用してダミー信号とするので、新たな信号を追加する必要がなく構成の複雑化を回避できる。
この発明によれば、複数の基地局を制御する制御装置を備え、移動局がＨＳＤＰＡ通信方式で複数の基地局と通信を行う移動通信システムであって、
前記制御装置は、
前記移動局が一基地局から他基地局のエリア内への移動に応じて、前記移動局と接続される基地局の変更の要否を監視し、前記変更が必要な場合、前記他基地局に切り替えを指示する切替指示部を含み、
前記基地局は、
前記切り替え指示に従って、前記ダミー信号を生成する生成部と、
前記ダミー信号を前記移動局に対して送信する送信部と、を含み、
前記移動局は、
前記ＨＳ−ＳＣＣＨ信号を受信する受信部と、
前記受信したＨＳ−ＳＣＣＨ信号に前記ダミー信号が含まれるか否か判定する判定部と、
前記判定部が、前記ダミー信号が含まれると判定したとき、前記ＨＳ−ＳＣＣＨ信号のｐａｒｔ２情報までをデコードするデコード部と、
前記ｐａｒｔ２情報に含まれるＣＲＣを検査する検査部と、
前記ＣＲＣが正常であった場合に、前記基地局の切り替えを行う切替処理部と、を含むことを特徴とする移動通信システムが提供される。
この発明によれば、複数の基地局とＨＳＤＰＡ通信方式で通信を行う移動端末であって、
一基地局から他基地局のエリア内に移動したとき、移動先の前記基地局からＨＳ−ＳＣＣＨ信号を受信する受信部と、
前記受信部が受信した前記ＨＳ−ＳＣＣＨ信号にダミー信号が含まれるか否かを判定する判定部と、
前記判定部が、前記ダミー信号が含まれると判定したとき、前記ＨＳ−ＳＣＣＨ信号のｐａｒｔ２情報までをデコードするデコード部と、
前記ｐａｒｔ２情報に含まれるＣＲＣを検査する検査部と、
前記ＣＲＣが正常であった場合に、前記基地局の切り替えを行う切替処理部と、を備えることを特徴とする移動端末が提供される。
なお、以上の構成要素の任意の組合せ、本発明の表現を方法、装置、システム、記録媒体、コンピュータプログラムなどの間で変換したものもまた、本発明の態様として有効である。
本発明によれば、信号の誤検出による誤った基地局切り替えの可能性を低減し、移動通信システムの信頼性を向上する移動通信方法が提供される。
【図面の簡単な説明】
【０００４】
図１は、本発明の実施の形態に係る移動通信システムの概略構成を示すブロック図である。
図２は、本発明の実施の形態に係る基地局におけるＨＳ−ＳＣＣＨのコーディング処理部の構成の一例を示す図である。
図３は、本発明の実施の形態に係る移動端末の要部構成を示す機能ブロック図である。
図４は、本発明の実施の形態に係る移動通信システムの動作の一例を示すフローチャートである。
図５は、図３の移動端末における基地局の切り替え時のＨＳ−ＳＣＣＨの受信を説明するための図である。
１０：移動端末、２０：基地局、２２：基地局エリア、３０：基地局、３２：基地局エリア、４０：制御装置、１０２：アンテナ、１０４、１０５、１０６、１０７：乗算器、１１４、１１５、１１６、１１７：ＨＳ−ＳＣＣＨ逆拡散器、１２０：ＨＳ−ＳＣＣＨデコード回路、１２２：自局宛データ検出回路、１２４：ダミーｂｉｔ判定回路、１２６：ＨＳ−ＰＤＳＣＨ制御回路、１２８：乗算器、１３０：ＨＳ−ＰＤＳＣＨ逆拡散器、１３２：ＨＳ−ＰＤＳＣＨデコーダ、２００：マルチプレクサ、２０２：チャネル符号化部、２０４：レートマッチング部、２０６：マスク部、２０８：物理チャネルマッピング部、２１０：マルチプレクサ、２１２：ＣＲＣ計算付加部、２１４：チャネル符号化部、２１６：レートマッチング部
【発明を実施するための最良の形態】
【０００５】
以下、本発明の実施の形態について、図面を用いて説明する。尚、すべての図面において、同様な構成要素には同様の符号を付し、適宜説明を省略する。
図１は、本発明の実施の形態に係る移動通信システムの概略構成を示すブロック図である。本実施形態の移動通信システムは、複数の基地局、ここでは第１基地局２０および第２基地局３０と、複数の基地局を制御する制御装置４０と、複数の基地局のエリア内を移動しながら基地局との通信を行う移動端末１０（図中、「移動端末１０ａ」、「移動端末１０ｂ」、「移動端末１０ｃ」と示されている。以後、特に区別が必要ない場合は、単に「移動端末１０」と呼ぶ）と、を備えている。
図１では、第１基地局２０の第１基地局エリア２２内に存在する移動端末１０が移動して、第２基地局３０の第２基地局エリア３２内に移動する状態を示している。また、各基地局から移動端末１０に対してＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）１５が送信されている状態が示されている。図１において、第１基地局エリア２２内の移動端末を移動端末１０ａと示し、第１基地局エリア２２および第２基地局３０の間に存在する移動端末を移動端末１０ｂと示し、第２基地局エリア３２内の移動端末を移動端末１０ｃと示して区別している。
制御装置４０は、移動端末１０が移動して第１基地局エリア２２から第２基地局エリア３２に移動したとき、ハンドオーバ処理を行うように各基地局に指示を行う。すなわち、制御装置４０は、移動端末１０と第１基地局２０との間の接続を第２基地局３０との接続に切り替えるように制御する。
本発明の実施の形態に係る移動通信方法は、移動局（移動端末１０）と基地局（第１基地局２０および第２基地局３０）がＨＳＤＰＡ通信方式で通信を行う移動通信方法であって、移動局（移動端末１０）が一基地局（第１基地局２０）から他基地局（第２基地局３０）のエリア内に移動したとき、移動先の他基地局（第２基地局３０）から移動局（移動端末１０）に対して、実際の情報の送信に先立って、基地局の切り替えを通知するためのダミー信号を送信し、移動局（移動端末１０）がダミー信号の受信に呼応して、ＨＳ−ＳＣＣＨ信号のｐａｒｔ２情報までをデコードし、ｐａｒｔ２情報に含まれるＣＲＣを検査し、ＣＲＣが正常であった場合に、基地局の切り替えを行う。
図２は、本発明の実施の形態に係る基地局におけるＨＳ−ＳＣＣＨのコーディング処理部の構成の一例を示す図である。各基地局は、ＨＳ−ＳＣＣＨのコーディング処理部（不図示）を備え、移動端末１０に送信するＨＳ−ＳＣＣＨを生成する。本実施形態において、ＨＳ−ＳＣＣＨのｐａｒｔ１情報にダミー信号を含めてコーディングして移動端末１０に送信する。なお、図２において、本発明の本質に関わらない部分の構成については省略してある。また、コーディング処理部の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
コーディング処理部は、マルチプレクサ（ｍｕｘ）２００と、チャネル符号化部２０２と、レートマッチング部２０４と、マスク部２０６と、物理チャネルマッピング部２０８と、マルチプレクサ（ｍｕｘ）２１０と、ＣＲＣ計算付加部２１２と、チャネル符号化部２１４と、レートマッチング部２１６と、を含む。
マルチプレクサ２００は、ＸｃｃｓとＸｍｓを入力し、８ビットのビット列を生成する。ここで、Ｘｃｃｓは、対応するＨＳ−ＰＤＳＣＨにて使用されるチャネライゼーションコードセット（Ｃｈａｎｎｅｌｉｓａｔｉｏｎ  Ｃｏｄｅ  Ｓｅｔ：ＣＣＳ）を表すビット列であり、以下の式（１）および式（２）により導かれる。
2007077975.tif 000003
上記の式（１）および式（２）においてＰはＨＳ−ＰＤＳＣＨのコード数を表し、Ｏは使用するコードの内、最初のチャネライゼーションコードの番号を示している。
上記の式（１）および式（２）から導かれるＣＣＳを表すビット列においては、「１１１００００」、「１１１０００１」、「１１１００１０」、「１１１００１１」、「１１１０１００」、「１１１０１０１」、「１１１０１１０」、「１１１０１１１」の８つのビット列は使用されることはない。本発明では上記のＣＣＳとして使用されていないこの８つのビット列のうちのいずれかをＨＳＤＰＡ  ｓｅｒｖｉｎｇ  ｃｅｌｌ切り替えを示すためのビット列として使用する。
すなわち、ＨＳＤＰＡ  ｓｅｒｖｉｎｇ  ｃｅｌｌ切り替えを示すダミー信号をｐａｒｔ１情報に含める場合、Ｘｃｃｓを上記８つのビット列のうちのいずれかのビット列としてマルチプレクサ２００に入力する。これにより、ＨＳ−ＳＣＣＨのｐａｒｔ１情報にダミー信号が含まれることとなる。
Ｘｍｓは対応するＨＳ−ＰＤＳＣＨの変調方式（Ｍｏｄｕｌａｔｉｏｎ  Ｓｃｈｅｍｅ）を示すビットであり、０の場合はＱＰＳＫ、１の場合は１６ＱＡＭで変調されていることを示す。
チャネル符号化部２０２は、チャネル符号化を行うブロックであり、符号化率１／２の畳み込み符号化が行われ、４８ビットのビット列が生成される。
レートマッチング部２０４は、レートマッチングを行うブロックであり、チャネル符号化により生成された４８ビットを４０ビットに間引く。
マスク部２０６は、Ｘｕｅ（ＵＥ  ＩＤ：Ｕｓｅｒ  Ｅｑｕｉｐｍｅｎｔ  ＩＤｅｎｔｉｆｉｅｒ）を入力し、ＵＥ  ＩＤでのマスク（ＵＥ  Ｓｐｅｃｉｆｉｃｍａｓｋｉｎｇ）を行うブロックである。マスク部２０６は、ＨＳＤＰＡ受信前に端末に通知される端末固有の１６ビットのビット列（ＵＥ  ＩＤ）から生成された４０ビットのビット列とレートマッチングにより生成された４０ビットの排他的論理和を行う。
物理チャネルマッピング部２０８は、物理チャネルへのマッピング（Ｐｈｙｓｉｃａｌ  ｃｈａｎｎｅｌ  ｍａｐｐｉｎｇ）を行うブロックであり、生成された４０ビットのビット列をＨＳ−ＳＣＣＨのサブフレームの最初のスロットにマッピングする。
これらの構成により、ＨＳ−ＳＣＣＨのｐａｒｔ１情報が生成される。
さらに、マルチプレクサ２１０は、Ｘｔｂｓ、Ｘｈａｐ、ＸｒｖおよびＸｎｄを入力し、１３ビットのビット列を生成する。Ｘｔｂｓはトランスポートブロックサイズを表すビットである。Ｘｈａｐは、ハイブリッドＡＲＱのプロセス番号を示すビット列である。ＸｒｖはＲｅｄｕｎｄａｎｃｙ  ＶｅｒｓｉｏｎとＣｏｎｓｔｅｌｌａｔｉｏｎを表すビットである。ＸｎｄはＮｅｗ  ｄａｔａ  ｉｎｄｉｃａｔｏｒであり、前回からのビットの変化によって新しいデータか再送データかを表す。
ＣＲＣ計算付加部２１２は、送信データのＣＲＣ計算および付加を行うブロックである。ＣＲＣ計算付加部２１２は、マルチプレクサ２００から入力されたＸｃｃｓおよびＸｍｓの８ビットのビット列およびマルチプレクサ２１０から入力されたＸｔｂｓ、Ｘｈａｐ、Ｘｒｖ、およびＸｎｄの１３ビットのビット列の合計２１ビットから１６ビットのＣＲＣを計算する。
計算されたＣＲＣは１６ビットのＵＥＩＤ（Ｘｕｅ）でマスクされる。ＣＲＣ計算付加部２１２は、マルチプレクサ２１０から入力されたＸｔｂｓ、Ｘｈａｐ、Ｘｒｖ、およびＸｎｄの１３ビットのビット列の情報ビットにマスク後のＣＲＣの１６ビットを付加して２９ビットのビット列を出力する。
チャネル符号化部２１４は、チャネル符号化を行うブロックであり、情報ビットの１３ビットとＣＲＣの１６ビットの合計２９ビットに１／３の畳み込み符号化を行い、１１１ビットのビット列が生成される。
レートマッチング部２１６は、レートマッチングを行うブロックであり、チャネル符号化部２１４により生成された１１１ビットを８０ビットに間引く。
これらの構成により、ＨＳ−ＳＣＣＨのｐａｒｔ２情報が生成される。
図３は、本実施形態の移動端末１０の要部構成を示す機能ブロック図である。本発明の実施の形態の移動端末１０は、複数の基地局（第１基地局２０および第２基地局３０）とＨＳＤＰＡ通信方式で通信を行う移動端末であって、一基地局（第１基地局２０）から他基地局（第２基地局３０）のエリア内に移動したとき、移動先の基地局（第２基地局３０）からＨＳ−ＳＣＣＨ信号を受信する受信部（アンテナ１０２）と、受信部が受信したＨＳ−ＳＣＣＨ信号にダミー信号が含まれるか否かを判定する判定部（自局宛データ検出回路１２２およびダミーｂｉｔ判定回路１２４）と、判定部が、ダミー信号が含まれると判定したとき、ＨＳ−ＳＣＣＨ信号のｐａｒｔ２情報までをデコードするデコード部（ダミーｂｉｔ判定回路１２４）と、ｐａｒｔ２情報に含まれるＣＲＣを検査する検査部（ダミーｂｉｔ判定回路１２４）と、ＣＲＣが正常であった場合に、基地局の切り替えを行う切替処理部（ＨＳ−ＰＤＳＣＨ制御回路１２６）と、を備える。なお、図３において、本発明の本質に関わらない部分の構成については省略してある。
また、移動端末１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
具体的には、移動端末１０は、アンテナ１０２と、アンテナ１０２に接続された複数の乗算器１０４、乗算器１０５、乗算器１０６、乗算器１０７と、複数の乗算器にそれぞれ接続された複数の第１ＨＳ−ＳＣＣＨ逆拡散器１１４、第２ＨＳ−ＳＣＣＨ逆拡散器１１５、第３ＨＳ−ＳＣＣＨ逆拡散器１１６、第４ＨＳ−ＳＣＣＨ逆拡散器１１７と、を備える。さらに、移動端末１０は、ＨＳ−ＳＣＣＨデコード回路１２０と、自局宛データ検出回路１２２と、ダミーｂｉｔ判定回路１２４と、ＨＳ−ＰＤＳＣＨ制御回路１２６と、乗算器１２８と、ＨＳ−ＰＤＳＣＨ逆拡散器１３０と、ＨＳ−ＰＤＳＣＨデコーダ１３２と、を備える。
図３において、乗算器１０４および乗算器１０５は、第１基地局２０用のスクランブリングコードを入力し、アンテナ１０２によって受信された信号にそれぞれ乗算して、第１ＨＳ−ＳＣＣＨ逆拡散器１１４および第２ＨＳ−ＳＣＣＨ逆拡散器１１５にそれぞれ出力する。乗算器１０６および乗算器１０７は、第２基地局３０用のスクランブリングコードを入力し、アンテナ１０２によって受信された信号にそれぞれ乗算して、第３ＨＳ−ＳＣＣＨ逆拡散器１１６および第４ＨＳ−ＳＣＣＨ逆拡散器１１７にそれぞれ出力する。なお、図３では、移動端末１０が図１の第１基地局エリア２２および第２基地局エリア３２の両方にまたがるエリアに存在している状態、すなわち移動端末１０ｂの状態にある場合の図を示している。
たとえば図１の移動端末１０ａの状態、すわなち第１基地局エリア２２に移動端末１０が存在する場合は、４つの乗算器には、第１基地局２０用のスクランブリングコードが入力される。一方、移動端末１０ｃの状態、すなわち第２基地局エリア３２に移動端末１０が存在する場合は、４つの乗算器には、第２基地局３０用のスクランブリングコードが入力される。各乗算器に入力されるスクランブリングコードの切り替えは、制御部（不図示）によって制御される。
第１ＨＳ−ＳＣＣＨ逆拡散器１１４、第２ＨＳ−ＳＣＣＨ逆拡散器１１５、第３ＨＳ−ＳＣＣＨ逆拡散器１１６および第４ＨＳ−ＳＣＣＨ逆拡散器１１７は、それぞれ乗算器１０４、乗算器１０５、乗算器１０６および乗算器１０７から入力された信号にＨＳ−ＳＣＣＨのチャネライゼーションコードをそれぞれ乗算し、ＨＳ−ＳＣＣＨ信号を取り出す。
ＨＳ−ＳＣＣＨデコード回路１２０は、第１ＨＳ−ＳＣＣＨ逆拡散器１１４、第２ＨＳ−ＳＣＣＨ逆拡散器１１５、第３ＨＳ−ＳＣＣＨ逆拡散器１１６および第４ＨＳ−ＳＣＣＨ逆拡散器１１７から入力されたＨＳ−ＳＣＣＨ信号を復号し、情報を取り出す。
自局宛データ検出回路１２２は、ＨＳ−ＳＣＣＨデコード回路１２０から受け取ったｐａｒｔ１情報から該当のＨＳ−ＳＣＣＨが自端末宛かどうかを判断する。ｐａｒｔ１情報には、端末固有のＵＥ  ＩＤが含まれる。自局宛データ検出回路１２２は、ｐａｒｔ１情報からＵＥ  ＩＤを取り出し、ＵＥ  ＩＤに基づいて自端末宛か否かを判断することができる。なお、ＨＳ−ＳＣＣＨ信号については、後述する基地局におけるＨＳ−ＳＣＣＨのコーディング処理部の説明で詳説する。
ダミーｂｉｔ判定回路１２４は、ＨＳ−ＳＣＣＨデコード回路１２０から受け取ったｐａｒｔ１情報からＣＣＳの７ビットのビット列がダミービットに該当するかどうかを判定する。本実施形態において、ＣＣＳとして使用されていない、「１１１００００」、「１１１０００１」、「１１１００１０」、「１１１００１１」、「１１１０１００」、「１１１０１０１」、「１１１０１１０」、「１１１０１１１」の８つのビット列をＨＳＤＰＡ  ｓｅｒｖｉｎｇ  ｃｅｌｌ切り替えを示すためのビット列、すなわちダミービットとして使用する。すなわち、ＨＳＤＰＡ  ｓｅｒｖｉｎｇ  ｃｅｌｌ切り替えを示すダミー信号は、「１１１００００」、「１１１０００１」、「１１１００１０」、「１１１００１１」、「１１１０１００」、「１１１０１０１」、「１１１０１１０」、「１１１０１１１」の８つのビット列のいずれかをＨＳ−ＳＣＣＨのｐａｒｔ１情報に含む。ダミーｂｉｔ判定回路１２４がダミー信号を受信したと判定した場合、ＨＳ−ＳＣＣＨ信号のｐａｒｔ２情報まで読み込み、ＣＲＣチェックを行う。
なお、上記の８つのビット列のうちいずれをダミー信号として使用するかは予め基地局と移動局の間で規定しておき、予め決められたビット列がｐａｒｔ１情報に含まれているかを検知することもできる。あるいは、上記７ビットのビット列のうち、上位３ビットがすべて”１”であるビット列がｐａｒｔ１情報に含まれているかを検知することによっても、ダミービットに該当するか否かを判定することもできる。
ＨＳ−ＰＤＳＣＨ制御回路１２６は、ダミーｂｉｔ判定回路１２４で自端末宛のダミー信号を受信し、かつＣＲＣチェックが正常であった場合に、ダミーｂｉｔ判定回路１２４から受け渡されたＨＳ−ＳＣＣＨ信号の情報に基づき、逆拡散すべきＨＳ−ＰＤＳＣＨのスクランブリングコードおよびチャネライゼーションコード、ならびに逆拡散のタイミングを決定する。
乗算器１２８は、アンテナ１０２が受信した信号にＨＳ−ＰＤＳＣＨ制御回路１２６で得られたＨＳ−ＰＤＳＣＨのスクランブリングコードを乗算し、ＨＳ−ＰＤＳＣＨ逆拡散器１３０に出力する。
ＨＳ−ＰＤＳＣＨ逆拡散器１３０は、ＨＳ−ＰＤＳＣＨ制御回路１２６から指定されたチャネライゼーションコードとタイミングを使用して、乗算器１２８から入力されたＨＳ−ＰＤＳＣＨの逆拡散を行う。
ＨＳ−ＰＤＳＣＨデコーダ１３２は、ＨＳ−ＰＤＳＣＨ逆拡散器１３０で逆拡散された信号の復号を行いデータを取り出す。
このように構成された本実施形態の移動通信システムの動作について、以下に説明する。図４は、本発明の実施の形態に係る移動通信システムの動作の一例を示すフローチャートである。以下、図１乃至図４を用いて説明する。
まず、図１に示すように、移動端末１０が移動端末１０ａの位置、すなわち第１基地局エリア２２にいる間は、第１基地局２０からＨＳ−ＳＣＣＨ信号を受信している。このとき、移動端末１０のＨＳ−ＰＤＳＣＨデコーダ１３２は、第１基地局２０からのみのＨＳ−ＰＤＳＣＨをデコードするようにセットされている（ステップＳ１０１およびステップＳ２０１）。
そして、移動端末１０が移動して、移動端末１０ｂの位置となったとき、制御装置４０からのシグナリングによりＤＣＨがＳＨＯ状態となり、他の基地局（第２基地局３０）が追加される。そして、第２基地局３０が、ＤＣＨの送信を開始する（ステップＳ３０１）。
そして、移動端末１０では、ＳＨＯ検出部（不図示）が、ＤＣＨがＳＨＯとなったことを検出し（ステップＳ２０３）、制御部（不図示）が、当初ＨＳ−ＳＣＣＨを受信していた第１基地局２０からのＨＳ−ＳＣＣＨに加えて、追加された第２基地局３０からもＨＳ−ＳＣＣＨを受信する。そして、第１ＨＳ−ＳＣＣＨ逆拡散器１１４、第２ＨＳ−ＳＣＣＨ逆拡散器１１５、第３ＨＳ−ＳＣＣＨ逆拡散器１１６、および第４ＨＳ−ＳＣＣＨ逆拡散器１１７が、アンテナ１０２を介して第１基地局２０および第２基地局３０の両局からＨＳ−ＳＣＣＨを受信する（ステップＳ１０３、ステップＳ３０３およびステップＳ２０５）。
このとき、制御部が、各基地局から受信するＨＳ−ＳＣＣＨの数を制限し、受信する合計のＨＳ−ＳＣＣＨの数が移動端末１０で受信できる最大のＨＳ−ＳＣＣＨ数、ここでは最大４に収まるように制限する。また、このとき制御部は乗算器１０４、乗算器１０５、乗算器１０６および乗算器１０７に入力されるスクランブリングコードを対応する基地局用に切り換え、アンテナ１０２で受信した信号に乗算して各ＨＳ−ＳＣＣＨ逆拡散器に入力する。
複数の基地局からＨＳ−ＳＣＣＨを受信している間、移動端末１０で、信号強度測定部（不図示）が、各基地局の信号強度を測定する。そして、受信信号強度の最も強い基地局ＩＤを各基地局に定期的、もしくは最も信号強度の強い基地局に変化があった場合にのみ、通知部（不図示）が基地局ＩＤを含めたＤＣＨを送信することにより各基地局を介して制御装置４０に通知する（ステップＳ２０７、ステップＳ１０５およびステップＳ３０５）。
制御装置４０では移動端末１０から送信される基地局ＩＤの情報に基づいて、どの基地局からＨＳ−ＰＤＳＣＨを送信するかを決定し、基地局が変更される場合、基地局の切り替えを決定する（不図示）。切り替えが決定されると、制御装置４０は切り替え先の基地局、ここでは第２基地局３０に切り替え指示を行う。切り替え指示に呼応して、第２基地局３０は基地局の切り替えを示すダミーのＨＳ−ＳＣＣＨ信号を送信する（ステップＳ３０７）。
ここで、ダミーＨＳ−ＳＣＣＨ信号は、ｐａｒｔ１情報のＣＣＳを表すビット列に、「１１１００００」、「１１１０００１」、「１１１００１０」、「１１１００１１」、「１１１０１００」、「１１１０１０１」、「１１１０１１０」、「１１１０１１１」の８つのビット列のうちいずれかのビット列を含む。
移動端末１０では、自局宛データ検出回路１２２およびダミーｂｉｔ判定回路１２４が、それまでＨＳ−ＤＰＳＣＨを受信していた基地局（第１基地局２０）とは異なる基地局（第２基地局３０）から、ｐａｒｔ１情報に上記ビット列のいずれかを含むＨＳ−ＳＣＣＨを受信したと判断した場合（ステップＳ２０９のＹＥＳ）、通常のＨＳ−ＰＤＳＣＨ受信手順を中止する。
そして、ＨＳ−ＳＣＣＨのｐａｒｔ２情報までを読み込み、デコードしてＣＲＣを確認する（ステップＳ２１０）。ＣＲＣがＯＫとなった場合（ステップＳ２１１のＹＥＳ）、ＨＳ−ＰＤＳＣＨ制御回路１２６が、ＨＳ−ＰＤＳＣＨが送信される基地局の変更が行われたと判断して、ＨＳ−ＰＤＳＣＨのデコーダを該ＨＳ−ＳＣＣＨを送信した基地局（第２基地局３０）向けにセットする（ステップＳ２１３）。以降は、第２基地局３０からＨＳ−ＳＣＣＨが送信され（ステップＳ３０９）、移動端末１０では通常の受信動作を行う。
その後、制御装置４０からのシグナリングにより（不図示）、ＤＣＨのＳＨＯが終了する場合（ステップＳ２１５のＹＥＳ）、削除対象の基地局（第１基地局２０）からのＨＳ−ＳＣＣＨ受信を切断する（ステップＳ２１７）。そして、制限されていたＨＳ−ＳＣＣＨ受信の数を、残った基地局（第２基地局３０）に割り当てＨＳ−ＳＣＣＨ受信の数を増やす。なお、第１基地局２０では、移動端末１０へのＨＳ−ＳＣＣＨの送信を止める（ステップＳ１０７）。そして、ステップＳ２０１に戻る。
なお、ステップＳ２１５におけるＤＣＨの確認は省略し、ステップＳ２１１でＣＲＣのＯＫが確認され、ステップＳ２１３でＨＳ−ＤＰＳＣＨのデコードを開始すると同時に第１基地局２０からのＨＳ−ＳＣＣＨの受信を切断することもできる。
図５は、移動端末１０における上記基地局の切り替え時のＨＳ−ＳＣＣＨの受信を説明するための図である。図中、矢印で示した符号は、図４のフローチャートのステップ番号との対応を示している。
矢印Ｓ２０１〜Ｓ２０３までの間、移動端末１０では、制御部が、第１基地局２０からのＨＳ−ＳＣＣＨを４本受信するように制御し、第１ＨＳ−ＳＣＣＨ逆拡散器１１４、第２ＨＳ−ＳＣＣＨ逆拡散器１１５、第３ＨＳ−ＳＣＣＨ逆拡散器１１６、および第４ＨＳ−ＳＣＣＨ逆拡散器１１７に入力している。
そして、矢印Ｓ２０３において、制御装置４０からのシグナリングによりＤＣＨが第２基地局３０とのＳＨＯとなった場合、制御部が第１基地局２０から受信するＨＳ−ＳＣＣＨを２本となるよう制御し、第１ＨＳ−ＳＣＣＨ逆拡散器１１４および第２ＨＳ−ＳＣＣＨ逆拡散器１１５にのみ入力する。
そして、矢印Ｓ２０５において、制御部が第２基地局３０からのＨＳ−ＳＣＣＨを２本受信開始するように制御し、第３ＨＳ−ＳＣＣＨ逆拡散器１１６および第４ＨＳ−ＳＣＣＨ逆拡散器１１７に入力される。このとき、制御部は乗算器１０６および乗算器１０７に入力されるスクランブリングコードを第２基地局３０用に切り換える。
そして、矢印Ｓ３０７で第２基地局３０からダミーＨＳ−ＳＣＣＨが送信され、移動端末１０で受信され、矢印２１１でＣＲＣが確認される。ＣＲＣが正常と判断され、第２基地局３０向けにＨＳ−ＰＤＳＣＨのデコーダがセットされる。そして、矢印Ｓ２１７で、制御装置４０からのシグナリングによりＤＣＨのＳＨＯが終了した場合、制御部は削除対象の基地局（第１基地局２０）からのＨＳ−ＳＣＣＨを切断する。
そして、再び矢印Ｓ２０１で、制御部は第２基地局３０からのＨＳ−ＳＣＣＨ受信を４本とするように制御し、第１ＨＳ−ＳＣＣＨ逆拡散器１１４、第２ＨＳ−ＳＣＣＨ逆拡散器１１５、第３ＨＳ−ＳＣＣＨ逆拡散器１１６、および第４ＨＳ−ＳＣＣＨ逆拡散器１１７に入力される。このとき、制御部は乗算器１０４および乗算器１０５に入力されるスクランブリングコードを第２基地局３０用に切り換える。
以上説明したように、本発明の実施の形態の移動通信システムによれば、ハンドオーバ先の基地局（第１基地局２０）から、基地局の切り替えを示すダミービットを含むＨＳ−ＳＣＣＨのｐａｒｔ１情報を実際のデータ送信に先駆けて送信し、移動端末１０側でダミービット検出に呼応して、ＣＲＣチェックによる確認を行った後、切り替えを行えるようことができるので、信号の誤検出による誤ったＨＳＤＰＡ  ｓｅｒｖｉｎｇ  ｃｅｌｌ切り替えの確率を減少させることができる。これによりシステムの信頼性が向上する。
また、ｐａｒｔ１情報の受信および解読のみでダミー信号の受信の検出、すなわち、基地局切り替えのトリガ検出を行うことが可能となるので、基地局切り替え監視処理を簡素化し、処理時間を短出することができる。さらに、自局宛のダミー信号を受信するまでは、ＨＳ−ＳＣＣＨ信号のｐａｒｔ２情報までのデコードは行わないので、時間のかかる不要な処理を省略できるので処理効率が向上し、高速処理が可能となる。また、ｐａｒｔ１情報の未使用ビット列を使用してダミー信号とするので、新たな信号を追加する必要がなく構成の複雑化を回避できる。
以上、図面を参照して本発明の実施形態について述べたが、これらは本発明の例示であり、上記以外の様々な構成を採用することもできる。
上記実施の形態において、複数の基地局間の切り替え時のハンドオーバ処理に適用した移動通信システムの例について記載したが、これに限定されない。たとえば、同じ基地局内の複数のセル間における切り替え時のハンドオーバ処理にも適用することができる。なお、複数の基地局間におけるハンドオーバ処理においては、各基地局間の通信のタイミングが異なるが、セル間においては同じタイミングとなり、動作制御は簡素化される。
【図１】
2007077975.tif 000004
【図２】
2007077975.tif 000005
【図３】
2007077975.tif 000006
【図４】
2007077975.tif 000007
【図５】
2007077975.tif 000008
【国際調査報告】
2007077975.tif 000009
2007077975.tif 000010
2007077975.tif 000011
2007077975.tif 000012